(57)【要約】【課題】クレジット機能を有さないＩＣカードに対するオートチャージを行うことが可能な自動改札システム及び自動改札機を提供すること。【解決手段】端末からインターネットを介してチャージ予約情報サーバに対してチャージ予約情報を入力して登録を行う。チャージ予約情報サーバは、当該チャージ予約情報に基づいて自動改札機が設置される駅毎にチャージ予約リストを作成し、当該駅に設置された複数の自動改札機にチャージ予約情報を配信する。自動改札機は、チャージ予約情報を受信し、利用者がＩＣカードを当該自動改札機の読取部に翳した際、当該ＩＣカードがチャージを行うための要件を満たすか確認し、要件を満たす場合にはチャージを行い、チャージ完了に伴う明細データを送信する。チャージ予約情報サーバは、当該明細データを基に自動改札機に対しては再配信を行い、チャージ予約を行った端末利用者に対してはチャージ完了報告を行う。【選択図】  図１
2012190082.tif 000002
【特許請求の範囲】
【請求項１】
公衆通信回線に接続された第1のサーバと、この第1のサーバに利用者によってインターネット接続された端末からストアードフェア機能を有する乗車券等のＩＣカードに対してチャージ予約し、当該チャージ予約されたＩＣカードが自動改札で使用された際、当該チャージ予約された情報に基づいて当該ＩＣカードにチャージする自動改札機と、を備えた自動改札システムであって、
前記第1のサーバは、
前記端末から送信されたチャージ予約情報を受け付けて当該第1のサーバが管理する記憶手段に登録する登録手段と、
この登録手段に登録されたチャージ予約情報を基に駅毎のチャージ予約リストを作成するチャージ予約リスト作成手段と、
このチャージ予約リスト作成手段で作成されたチャージ予約リストを当該ＩＣカードが利用される駅に設置された自動改札機に配信する配信手段と、
この配信手段による配信を受けた自動改札機でチャージ予約されたＩＣカードが使用された結果、オートチャージが完了した場合には、当該自動改札機から送信された明細データを受信する受信手段と、
この受信手段で受信した明細データに基づいてチャージ予約リストを更新する更新手段と、
この更新手段で更新されたチャージ予約リストを当該駅に設置された複数の自動改札機に再配信する再配信手段と、
前記受信手段で受信した明細データを基にチャージ完了報告を作成するチャージ完了報告作成手段と、
このチャージ完了報告作成手段で作成されたチャージ完了報告を前記端末に送信する送信手段と、を備え、
前記自動改札機は、
前記第１のサーバが送信するチャージ予約リストを受信する受信手段と、
前記ＩＣカードが当該自動改札機の読取部に翳された際、当該ＩＣカードに書き込まれている情報を読取り又は書込みする読取・書込手段と、
利用者がＩＣカードを前記読取部に翳した際、当該ＩＣカードがチャージを行うための要件を満たすか確認する要件確認手段と、
この要件確認手段による要件が満たされているときに、当該ＩＣカードのチャージ残金と前記Ｗｅｂチャージ金額を合算する合算手段と、
この合算手段による合算金額の上限確認を行うチャージ金額確認手段と、
このチャージ金額確認手段による確認の結果、合算金額が設定値内の場合、当該合算金額を当該ＩＣカードにチャージを行うチャージ手段と、
このチャージ手段によるチャージが完了した場合には、明細データを作成する明細データ作成手段と、
この明細データ作成手段によって作成された明細を前記第１のサーバに送信する送信手段と、
を備えたことを特徴とする自動改札システム。
【請求項２】
公衆通信回線に接続された第1のサーバと、この第1のサーバと通信回線を介して接続され、各駅に設置された第２のサーバと、前記第1のサーバに利用者によってインターネット接続された端末からストアードフェア機能を有する乗車券等のＩＣカードに対してチャージ予約し、当該チャージ予約されたＩＣカードが自動改札で使用された際、当該チャージ予約された情報に基づいて当該ＩＣカードにチャージする自動改札機と、を備えた自動改札システムであって、前記第1のサーバは、前記端末から送信されたチャージ予約情報を受け付けて当該第1のサーバが管理する記憶手段に登録する登録手段と、この登録手段に登録されたチャージ予約情報を基に駅毎のチャージ予約リストを作成するチャージ予約リスト作成手段と、このチャージ予約リスト作成手段で作成されたチャージ予約リストを当該ＩＣカードが利用される駅に設置された前記第２のサーバに送信する送信手段と、
を有し、前記第２のサーバは、前記第1のサーバから送信されたチャージ予約リストを受信する受信手段と、この受信手段で受信したチャージ予約リストを各駅に設置された複数の自動改札機に配信する配信手段と、この配信手段による配信を受けた自動改札機でチャージ予約されたＩＣカードが使用された結果、オートチャージが完了した場合には、当該自動改札機から送信された明細データを受信する受信手段と、この受信手段で受信した明細データに基づいてチャージ予約リストを更新する更新手段と、
この更新手段で更新されたチャージ予約リストを当該駅に設置された複数の自動改札機に再配信する再配信手段と、
前記受信手段で受信した明細データを基にチャージ完了報告を作成するチャージ完了報告作成手段と、
このチャージ完了報告作成手段で作成されたチャージ完了報告を前記端末に送信する送信手段と、を備え、
前記自動改札機は、
前記第２のサーバから送信されたチャージ予約リストを受信する受信手段と、
前記ＩＣカードが当該自動改札機の読取部に翳された際、当該ＩＣカードに書き込まれている情報を読取り又は書込みする読取・書込手段と、
利用者がＩＣカードを前記読取部に翳した際、当該ＩＣカードがＷｅｂチャージを行うための要件を満たすか確認する要件確認手段と、
この要件確認手段による要件が満たされているときに、当該ＩＣカードのチャージ残金と前記Ｗｅｂチャージ金額を合算する合算手段と、
この合算手段による合算金額の上限確認を行うチャージ金額確認手段と、
このチャージ金額確認手段による確認の結果、合算金額が設定値内の場合、当該合算金額を当該ＩＣカードにチャージを行うチャージ手段と、
このチャージ手段によるチャージが完了した場合には、明細データを作成する明細データ作成手段と、
この明細データ作成手段によって作成された明細を前記第２のサーバに送信する送信手段と、
を備えたことを特徴とする自動改札システム。
【請求項３】
前記要件確認手段は、
利用者が自動改札機に翳したＩＣカードのカード情報としてのＩＤｉがＷｅｂチャージ該当ＩＣカードであることを確認するＩＤｉ確認手段と、
当該ＩＣカードに最後にチャージした日付が当日でないことを確認する日付確認手段と、
当該ＩＣカードが、前記チャージ予約リストに登録されているか確認するチャージ予約リスト確手段と、
を有し、これらの確認手段による確認がとれたときにＩＣカードにチャージを行うための
要件を満たすことを特徴とする請求項１又は請求項２記載の自動改札システム。
【請求項４】
上位装置から送信されるチャージ予約リストを受信する受信手段と、
前記ＩＣカードが当該自動改札機の読取部に翳された際、当該ＩＣカードに書き込まれている情報を読取り又は書込みする読取・書込手段と、
利用者がＩＣカードを前記読取部に翳した際、当該ＩＣカードがチャージを行うための要件を満たすか確認する要件確認手段と、
この要件確認手段による要件が満たされているときに、当該ＩＣカードのチャージ残金と前記Ｗｅｂチャージ金額を合算する合算手段と、
この合算手段による合算金額の上限確認を行うチャージ金額確認手段と、
このチャージ金額確認手段による確認の結果、合算金額が設定値内の場合、当該合算金額を当該ＩＣカードにチャージを行うチャージ手段と、
このチャージ手段によるチャージが完了した場合には、明細データを作成する明細データ作成手段と、
この明細データ作成手段によって作成された明細を上位装置に送信する送信手段と、
を備えたことを特徴とする自動改札機。
【請求項５】
前記要件確認手段は、
利用者が自動改札機に翳したＩＣカードのカード情報としてのＩＤｉがＷｅｂチャージ該当ＩＣカードであることを確認するＩＤｉ確認手段と、
当該ＩＣカードに最後にチャージした日付が当日でないことを確認する日付確認手段と、
当該ＩＣカードのチャージ前の残金にチャージ金額を加算した金額が設定値内であることを確認するチャージ金額確認手段と、
を有し、これらの確認手段による確認がとれたときにＩＣカードにチャージを行うための
要件を満たすことを特徴とする請求項４記載の自動改札機。
【発明の詳細な説明】
【技術分野】
【０００１】
本発明の実施形態は、ＩＣカードのオートチャージ可能な自動改札システム及び自動改札機に関する。
【背景技術】
【０００２】
近年、乗車券のＩＣカード化及び運賃精算の自動化が進み、当該ＩＣカードにチャージしておくことにより、鉄道など公共交通機関を自由に利用することができるようになってきた。
【０００３】
例えば、駅務機器で使用されるＩＣカードには、定期券機能の他にプリペイド機能が設けられており、定期券で区間設定されている経路以外の乗車区間での乗降に使用した場合には、プリペイド機能として記録された残額から当該乗車区間の運賃を引き去る運用を行っている。
【０００４】
この引き去りの際、残額が不足した場合は、精算機などで不足額をチャージすることができるが、旅客の利便性及び自動改札機の流動性を高めるためにクレジットカードを担保としたオートチャージする方法が知られている。なお、このＩＣカードにチャーする際の安全性を確保するための照会方法が知られている（例えば、特許文献１参照）。
【先行技術文献】
【特許文献】
【０００５】
【特許文献１】特開２００３−３４６０９５号公報（第３−４頁、図２）
【発明の概要】
【発明が解決しようとする課題】
【０００６】
従来のオートチャージは、クレジットカード機能付きＩＣカードを用いており、チャージ金額を当該ＩＣカードのクレジットカードで自動的に支払う契約手続きを行っている。このため、クレジットカード機能付きでないＩＣカードの利用者はオートチャージを利用することができない。例えば、小児などクレジットカードを開設する口座を持たない利用者はクレジットカード機能付きのＩＣカードを利用することができない。
【０００７】
本発明は、上述した課題を解決するためになされたもので、クレジットカード機能が付いていないＩＣカードであっても、当該ＩＣカードに対するチャージ情報を、インターネット接続された端末から本人又は第三者が設定・入金することにより、当該ＩＣカードに対して自動改札機でオートチャージを行うことができる自動改札システム及び自動改札機を提供する。
【課題を解決するための手段】
【０００８】
上記目的を達成するために、本発明の請求項１記載の自動改札システムは、公衆通信回線に接続された第1のサーバと、この第1のサーバに利用者によってインターネット接続された端末からストアードフェア機能を有する乗車券等のＩＣカードに対してチャージ予約し、当該チャージ予約されたＩＣカードが自動改札で使用された際、当該チャージ予約された情報に基づいて当該ＩＣカードにチャージする自動改札機と、を備えた自動改札システムであって、前記第1のサーバは、前記端末から送信されたチャージ予約情報を受け付けて当該第1のサーバが管理する記憶手段に登録する登録手段と、この登録手段に登録されたチャージ予約情報を基に駅毎のチャージ予約リストを作成するチャージ予約リスト作成手段と、このチャージ予約リスト作成手段で作成されたチャージ予約リストを当該ＩＣカードが利用される駅に設置された自動改札機に配信する配信手段と、この配信手段による配信を受けた自動改札機でチャージ予約されたＩＣカードが使用された結果、オートチャージが完了した場合には、当該自動改札機から送信された明細データを受信する受信手段と、この受信手段で受信した明細データに基づいてチャージ予約リストを更新する更新手段と、この更新手段で更新されたチャージ予約リストを当該駅に設置された複数の自動改札機に再配信する再配信手段と、前記受信手段で受信した明細データを基にチャージ完了報告を作成するチャージ完了報告作成手段と、このチャージ完了報告作成手段で作成されたチャージ完了報告を前記端末に送信する送信手段と、を備え、前記自動改札機は、前記第１のサーバが送信するチャージ予約リストを受信する受信手段と、前記ＩＣカードが当該自動改札機の読取部に翳された際、当該ＩＣカードに書き込まれている情報を読取り又は書込みする読取・書込手段と、利用者がＩＣカードを前記読取部に翳した際、当該ＩＣカードがチャージを行うための要件を満たすか確認する要件確認手段と、この要件確認手段による要件が満たされているときに、当該ＩＣカードのチャージ残金と前記Ｗｅｂチャージ金額を合算する合算手段と、この合算手段による合算金額の上限確認を行うチャージ金額確認手段と、このチャージ金額確認手段による確認の結果、合算金額が設定値内の場合、当該合算金額を当該ＩＣカードにチャージを行うチャージ手段と、このチャージ手段によるチャージが完了した場合には、明細データを作成する明細データ作成手段と、この明細データ作成手段によって作成された明細を前記第１のサーバに送信する送信手段と、を備えたことを特徴とする。
【０００９】
また、本発明の請求項２記載の自動改札システムは、公衆通信回線に接続された第1のサーバと、この第1のサーバと通信回線を介して接続され、各駅に設置された第２のサーバと、前記第1のサーバに利用者によってインターネット接続された端末からストアードフェア機能を有する乗車券等のＩＣカードに対してチャージ予約し、当該チャージ予約されたＩＣカードが自動改札で使用された際、当該チャージ予約された情報に基づいて当該ＩＣカードにチャージする自動改札機と、を備えた自動改札システムであって、前記第1のサーバは、前記端末から送信されたチャージ予約情報を受け付けて当該第1のサーバが管理する記憶手段に登録する登録手段と、この登録手段に登録されたチャージ予約情報を基に駅毎のチャージ予約リストを作成するチャージ予約リスト作成手段と、このチャージ予約リスト作成手段で作成されたチャージ予約リストを当該ＩＣカードが利用される駅に設置された前記第２のサーバに送信する送信手段と、を有し、前記第２のサーバは、前記第1のサーバから送信されたチャージ予約リストを受信する受信手段と、この受信手段で受信したチャージ予約リストを各駅に設置された複数の自動改札機に配信する配信手段と、この配信手段による配信を受けた自動改札機でチャージ予約されたＩＣカードが使用された結果、オートチャージが完了した場合には、当該自動改札機から送信された明細データを受信する受信手段と、この受信手段で受信した明細データに基づいてチャージ予約リストを更新する更新手段と、この更新手段で更新されたチャージ予約リストを当該駅に設置された複数の自動改札機に再配信する再配信手段と、前記受信手段で受信した明細データを基にチャージ完了報告を作成するチャージ完了報告作成手段と、このチャージ完了報告作成手段で作成されたチャージ完了報告を前記端末に送信する送信手段と、を備え、前記自動改札機は、前記第２のサーバから送信されたチャージ予約リストを受信する受信手段と、前記ＩＣカードが当該自動改札機の読取部に翳された際、当該ＩＣカードに書き込まれている情報を読取り又は書込みする読取・書込手段と、利用者がＩＣカードを前記読取部に翳した際、当該ＩＣカードがＷｅｂチャージを行うための要件を満たすか確認する要件確認手段と、この要件確認手段による要件が満たされているときに、当該ＩＣカードのチャージ残金と前記Ｗｅｂチャージ金額を合算する合算手段と、この合算手段による合算金額の上限確認を行うチャージ金額確認手段と、このチャージ金額確認手段による確認の結果、合算金額が設定値内の場合、当該合算金額を当該ＩＣカードにチャージを行うチャージ手段と、このチャージ手段によるチャージが完了した場合には、明細データを作成する明細データ作成手段と、この明細データ作成手段によって作成された明細を前記第１のサーバに送信する送信手段と、を備えたことを特徴とする。
【００１０】
さらに、本発明の請求項４記載の自動改札機は、上位装置から送信されるチャージ予約リストを受信する受信手段と、前記ＩＣカードが当該自動改札機の読取部に翳された際、当該ＩＣカードに書き込まれている情報を読取り又は書込みする読取・書込手段と、利用者がＩＣカードを前記読取部に翳した際、当該ＩＣカードがチャージを行うための要件を満たすか確認する要件確認手段と、この要件確認手段による要件が満たされているときに、当該ＩＣカードのチャージ残金と前記Ｗｅｂチャージ金額を合算する合算手段と、この合算手段による合算金額の上限確認を行うチャージ金額確認手段と、このチャージ金額確認手段による確認の結果、合算金額が設定値内の場合、当該合算金額を当該ＩＣカードにチャージを行うチャージ手段と、このチャージ手段によるチャージが完了した場合には、明細データを作成する明細データ作成手段と、この明細データ作成手段によって作成された明細を上位装置に送信する送信手段と、を備えたことを特徴とする。
【図面の簡単な説明】
【００１１】
【図１】本発明の実施例１に係る自動改札システムの一例
【図２】本発明の実施例１に係るＷｅｂチャージ予約処理のフローチャート
【図３】本発明の実施例１に係る自動改札機のＷｅｂチャージ処理のフローチャート
【図４】本発明の実施例１に係るＷｅｂチャージ完了処理のフローチャート
【図５】本発明の実施例２に係る自動改札システムの一例
【発明を実施するための形態】
【００１２】
本実施例に係る自動改札システムでは、インターネット接続された携帯電話又はＰＣなどの端末からＷｅｂ（Ｗｏｒｌｄ  Ｗｉｄｅ  Ｗｅｂ）サイトを介して鉄道会社のチャージ予約情報サーバに接続し、当該チャージ予約情報サーバによって当該端末の画面に表示された操作案内に基づいてＩＣカードのチャージ情報の入力を行うと、チャージ予約情報サーバは、入金確認後チャージ情報に基づいて利用者が当該ＩＣカードのチャージを行う駅に設置された配信サーバにチャージ情報を配信する。当該配信サーバは、当該駅に設置されている複数の自動改札機に当該チャージ情報を配信する。その後、ＩＣカードを所持する利用者が当該チャージ情報が配信された自動改札機から入場又は出場する際に、当該自動改札機は、当該ＩＣカードに対してオートチャージを実行する。
【００１３】
以下、図面を参照して本実施例を説明する。
【実施例１】
【００１４】
図１は本発明の実施例１に係る自動改札システム１００の一例である。自動改札システム１００は、Ａ駅に設置される自動改札機１Ａと、この自動改札機１Ａと通信回線を介して接続されて当該自動改札機１Ａに対してチャージ情報を配信する配信サーバ（第２のサーバ又は上位装置）１０Ａ及びチャージ予約情報サーバ（第１のサーバ又は上位装置）２０で構成される。Ｂ駅も同様に自動改札機１Ｂと、この自動改札機１Ｂと接続されて当該自動改札機１Ｂに対してチャージ情報を配信する配信サーバ１０Ｂ及びチャージ予約情報サーバ２０で構成される。
【００１５】
チャージ予約情報サーバ（第１のサーバ）２０は、公衆通信回線（ネットワーク）３０に接続され、当該公衆通信回線３０に接続可能な端末（例えば、携帯電話４０などのモバイル端末又はＰＣなどの固定端末）とＷｅｂサイトを介して接続される。
【００１６】
また、チャージ予約情報サーバ２０は、Ａ駅配信サーバ１０Ａ及びＢ駅配信サーバ１０Ｂに構内通信回線であるＬＡＮ（Ｌｏｃａｌ  Ａｒｅａ  Ｎｅｔｗｏｒｋ）を介して接続される。
【００１７】
このような構成により、いわゆるインターネットから利用者が利用する鉄道会社線のＨＰ（ホームページ）から、チャージ予約情報サーバ２０にアクセスし、Ｗｅｂチャージ予約が可能になる。以下、チャージ予約情報サーバ２０のＷｅｂチャージ予約処理に関するフローチャートを参照して説明する。
【００１８】
図２は、本発明の実施例１に係るＷｅｂチャージ予約処理のフローチャートである。本フローチャートは、本人又は第三者が、例えば携帯電話４０又はＰＣ４１などの端末からチャージ予約情報を受け付けるＷｅｂサイトにアクセスし、該当するＩＣカードの固有識別情報、チャージ金額及びチャージする駅名などのチャージ予約情報を入力する。
【００１９】
チャージ予約情報サーバ２０は、端末から入力された上記チャージ予約情報を受信し、当該チャージ予約情報サーバ２０が管理するハードデスクなどの記憶手段に設定する（Ｓ０１）。
【００２０】
ステップＳ０２において、チャージ予約情報がすでに設定されているか確認する。この確認の結果、予約済みの場合には、当該処理を終了する（Ｓ０２のＹ）。
【００２１】
予約されていない場合（Ｓ０２のＮ）、上記チャージ予約情報に基づいてチャージ金額がチャージ予約情報サーバ２０に設定される（Ｓ０３）。
【００２２】
ステップＳ０３において設定されたチャージ金額が設定された範囲内であるか確認する（Ｓ０４）。チャージ金額が範囲内でない場合には（Ｓ０４のＮ）、当該チャージ金額が範囲内になるよう再設定のメッセージを上記端末に送信する。
【００２３】
ステップＳ０４によりチャージ金額が範囲内の場合には（Ｓ０４のＹ）、チャージ予約情報サーバ２０にチャージ情報を登録する（登録手段、Ｓ０５）。
【００２４】
本人又は第三者などのユーザがチャージ金額を入金すると（Ｓ０６）、入金の有無が確認される（Ｓ０７）。なお、この入金は、例えばユーザが入金方法としてクレジットカードを指定した場合には、当該クレジットカード番号及び本人確認用の付帯情報（有効期限、氏名、生年月日など）を入力することにより当該クレジットカードによる支払いを可能にするもので、すでに電子商取引において実施されている。
【００２５】
この方法を用いることにより、小児用ＩＣカードなどクレジットカード機能付きではないＩＣカードを利用する場合であっても、当該小児の保護者が所持するクレジットカードを用いて小児用ＩＣカードへの金額相当分を支払うことが可能になる。
【００２６】
以上の処理において、入金の有無が確認されると（入金確認手段、Ｓ０７の有）、チャージ予約情報サーバ２０は、上記チャージする駅名に基づいて駅毎のチャージ予約リストを作成する（チャージ予約リスト作成手段、Ｓ０８）。
【００２７】
作成された駅毎のチャージ予約リストは、該当する駅の配信サーバ１０（例えば、Ａ駅配信サーバ１０Ａ、Ｂ駅配信サーバ１０Ｂなど）に配信される（Ｓ０９）。
【００２８】
該当する駅の配信サーバ１０は、各駅に設置された自動改札機にチャージ予約情報を配信する（配信手段、Ｓ１０）。例えば、Ａ駅の配信サーバ１０Ａは自動改札機１Ａにチャージ予約情報を配信し、Ｂ駅の配信サーバ１０Ｂは、自動改札機１Ｂにチャージ予約情報を配信する。
【００２９】
以上の処理により、携帯電話やＰＣなどの端末からチャージ予約情報を受け付けるＷｅｂサイトにアクセスしてチャージ予約情報を送信することによりＩＣカードに対するチャージ金額の予約を行うことができ、当該ＩＣカードの利用者が登録した自動改札機から入場又は出場することにより当該ＩＣカードに登録したチャージ金額が加算される。
【００３０】
図３は、本発明の実施例１に係る自動改札機のＷｅｂチャージ処理のフローチャートである。以下、Ａ駅配信サーバ１０Ａからチャージ予約情報を受信した自動改札機１ＡでＷｅｂチャージを行う場合の一例を示す。
【００３１】
ユーザがＩＣカードＴを自動改札機１Ａの読取部に翳すと（Ｓ１１）、自動改札機１Ａは、当該ＩＣカードＴのカード情報（ＩＤｉ）、残金などを読み取る（読取・書込手段、Ｓ１２）。
【００３２】
ＩＣカードＴのカード情報（ＩＤｉ）から、当該ＩＣカードＴがＷｅｂチャージ該当ＩＣカードであるかどうか確認する（ＩＤｉ確認手段）。なお、このＩＣカードＴのＩＤであるＩＤｉを確認することにより、本実施例に係るＷｅｂチャージ該当ＩＣカードであることを確認することができる。
【００３３】
Ｗｅｂチャージ該当ＩＣカードの場合、当該Ｗｅｂチャージの日付が当日であるか確認する（日付確認手段、Ｓ１３）。上記Ｗｅｂチャージ日付の確認とは、当該ＩＣカードに対して当日以前にＷｅｂチャージを行った日付のことである。例えば、前回は５日前にＷｅｂチャージを行った場合にはＷｅｂチャージ日付は当日に対して５日前の日付になる。この確認は、重複してＷｅｂチャージが行われることを防止するためのステップである。
【００３４】
初めてＷｅｂチャージを行う場合には、過去にＷｅｂチャージを行っていないため、Ｗｅｂチャージ日付と当日は一致しない（Ｓ１３のＮ）。この場合は、チャージ予約リストに当該ＩＣカードのＷｅｂチャージが登録されているか確認する（Ｓ１４）。
【００３５】
なお、ステップＳ１３において、Ｗｅｂチャージ日付と当日が一致した場合（Ｓ１３のＹ）、この場合は、当日に１回Ｗｅｂチャージを行っているため、Ｗｅｂチャージは行わず通常の判定処理を行う。
【００３６】
次に、チャージ予約リストに当該ＩＣカードがＷｅｂチャージ該当ＩＣカードとして登録されているか確認する（チャージ予約リスト確認手段、Ｓ１４）。
【００３７】
このチャージ予約リスト確認手段による確認の結果、当該ＩＣカードが登録されている場合は（Ｓ１４の一致）、当該ＩＣカードのチャージ残金とＷｅｂチャージ金額を合算する（合算手段、Ｓ１５）。
【００３８】
ステップＳ１５で合算した金額の上限確認を行う（チャージ金額確認手段、Ｓ１６）。この合算金額の上限確認の結果、合算値が設定値をオーバーする場合には（Ｓ１６のＮ）、自動改札機１Ａによるチャージを行わずに通常の判定処理を行う。
【００３９】
ステップＳ１５で合算した金額の上限確認の結果、合算金額が設定値内の場合（Ｓ１６のＹ）、上記合算金額をＩＣカードに書き込む（Ｓ１７）。
【００４０】
ステップＳ１７でＩＣカードにＷｅｂチャージを実行したので、Ｗｅｂチャージ日付を設定する（Ｓ１８）。
【００４１】
自動改札機１Ａにより、当該ＩＣカードに対するＷｅｂチャージを実行したので、当該ＩＣカードの明細を作成し、Ａ駅配信サーバ１０Ａに送信する（送信手段、Ｓ１９−Ｓ２０）。
【００４２】
この処理の後、当該ＩＣカードに対する通常処理を行う（Ｓ２１）。
【００４３】
以上Ａ駅配信サーバ１０Ａと自動改札機１Ａとの間でチャージ予約情報に基づいてＩＣカードにＷｅｂチャージを行ったが、Ｂ駅配信サーバ及び自動改札機１Ｂとの間でチャージ予約情報に基づいてＩＣカードにＷｅｂチャージを行う場合も同様である。
【００４４】
図４は、本発明の実施例１に係るＷｅｂチャージ完了処理のフローチャートである。
【００４５】
Ａ駅配信サーバ１０Ａは、自動改札機１Ａからの明細データを受信し、チャージ予約リストを更新する（Ｓ３２）。
【００４６】
Ａ駅配信サーバ１０Ａは、Ａ駅に設置された他の自動改札機に当該更新した上記チャージ予約リストを配信する（Ｓ３３）。
【００４７】
Ａ駅配信サーバ１０Ａは、ステップＳ３２で受信した自動改札機からの明細データをチャージ予約情報サーバ２０に送信する（Ｓ３４）。
【００４８】
チャージ予約情報サーバ２０は、Ａ駅配信サーバ１０Ａから受信した明細データを基に携帯電話４０又はＰＣ４１などの端末を利用するユーザに対してチャージ完了報告を行う（Ｓ３６）。この完了報告は、携帯端末なんどのモバイル端末又はＰＣなどの固定端末を利用してＷｅｂチャージ予約をした利用者に対して例えばｅメールなどの方法で通知される。
【００４９】
なお、本実施例では、Ｗｅｂチャージ該当ＩＣカードはクレジット機能が付いていない場合を例に説明したが、クレジット機能が付いているＩＣカードの場合であっても本実施例を適用することが可能である。すなわち、従来技術では、クレジット機能が付いていないＩＣカードに対するＷｅｂチャージができなかったものを、今回の実施例によりＷｅｂチャージすることができるようになるが、本実施例によりクレジット機能が付いているＩＣカードに対してもＷｅｂチャージをすることは可能である。クレジット機能が付いているからと言って、当該クレジット機能付きＩＣカードに対するチャージ金額を第３者が支払うことに何ら問題はないからである。
【００５０】
以上説明しように、本発明の実施例によれば、小児などが利用するクレジット機能がついていないＩＣカードであっても、当該ＩＣカードに対するチャージ情報をＷｅｂを介して本人又は第三者が設定・入金することにより、当該ＩＣカードに対して自動改札機でオートチャージを行うことができる自動改札システム及び自動改札機を提供することができる。
【実施例２】
【００５１】
図５は、本発明の実施例２に係る自動改札システム１１０の一例である。本実施例２は、実施例１の構成と同一部分には同一符号を用い、ここでは、実施例１と異なる部分の説明を行う。
【００５２】
実施例２は、実施例１に示した配信サーバ１０Ａ、１０Ｂが配置されていない。この配信サーバ１０Ａ、１０Ｂの機能をチャージ予約情報サーバ２１が兼ねているのである。例えば、鉄道会社線の規模が小さく、設置される自動改札機の数も少なく、利用者の数も少ない場合は、自動改札機が利用された場合の送受信する情報量も少ないことから、駅毎に配信サーバ１０Ａ、１０Ｂを設置せず費用を抑えた上で実施例１同等の効果を得ることができる。
【００５３】
チャージ予約情報サーバ（第1のサーバ）２１は、インターネット接続された端末からＷｅｂサイトを介してチャージ予約があると、各駅毎のチャージ予約リストを作成し、各駅に設置された複数の自動改札機に配信する（配信手段）。
【００５４】
また、チャージ予約情報サーバ２１は、上記配信手段による配信を受けた自動改札機１Ａ又は１Ｂで、チャージ予約されたＩＣカードが使用された結果、オートチャージが完了した場合には、当該オートチャージが完了した自動改札機から送信された明細データを受信する（受信手段）。
【００５５】
さらに、チャージ予約情報サーバ２１は、上記受信手段で受信した明細データに基づいてチャージ予約リストを更新する（更新手段）。この更新手段で更新されたチャージ予約リストは、各駅に設置された複数の自動改札機に再配信する（再配信手段）。
【００５６】
また、上記受信手段で受信した明細データを基にチャージ完了報告を作成する（チャージ完了報告作成手段）と、このチャージ完了報告作成手段で作成されたチャージ完了報告をチャージ予約を行った前記端末に送信する（送信手段）。
【００５７】
チャージ予約情報サーバ２１が上述した処理を行うことにより、実施例１で説明した配信サーバがない場合であっても実施例１同様の効果を得ることができる。
【符号の説明】
【００５８】
１００、１１０  自動改札システム
１Ａ、１Ｂ  自動改札機
１０Ａ、１０Ｂ  配信サーバ
１５  ＬＡＮ
２０、２１  チャージ予約情報サーバ
３０  公衆通信回線
４０  携帯電話
４１  ＰＣ
【図１】
2012190082.tif 000003
【図２】
2012190082.tif 000004
【図３】
2012190082.tif 000005
【図４】
2012190082.tif 000006
【図５】
2012190082.tif 000007